(57)【要約】【課題】使い勝手を向上させた枕保持具を提供すること。【解決手段】本発明では、リクライニング式のベッド(20)で使用者の上半身を起こしたときに枕(3)がずれ下がるのを防止するための枕保持具(1)において、ベッド(20)の頭側端部に配置される屈曲自在の屈曲部(2)と、この屈曲部(2)の一端側に形成した枕(3)を収容するための枕収容部(4)と、前記屈曲部(2)の他端側に形成した錘(5)となる重量物を収容するための錘装着部(6)とを有することにした。特に、前記枕収容部(4)は、一枚のシート(10)の一端を折返すとともに折返片(11)の先端部をシート(10)に縫合して形成し、一方、前記錘装着部(6)は、前記シート(10)の他端を折返すとともに折返片(13)の両側端部をシート(10)に縫合して形成することにした。【選択図】図１
2008295662.tif 000002
【特許請求の範囲】
【請求項１】
リクライニング式のベッドで使用者の上半身を起こしたときに枕がずれ下がるのを防止するための枕保持具において、
ベッドの頭側端部に配置される屈曲自在の屈曲部と、この屈曲部の一端側に形成した枕を収容するための枕収容部と、前記屈曲部の他端側に形成した錘となる重量物を装着するための錘装着部とを有することを特徴とする枕保持具。
【請求項２】
前記枕収容部は、可撓性を有する一枚のシートの一端を折返すとともに折返片の先端部をシートに縫合して筒状に形成し、一方、前記錘装着部は、前記シートの他端を折返すとともに折返片の両側端部をシートに縫合してポケット状に形成したことを特徴とする請求項１に記載の枕保持具。
【請求項３】
リクライニング式のベッドで使用者の上半身を起こしたときに枕がずれ下がるのを防止するための枕保持具の製造方法であって、
可撓性を有する一枚のシートの一端を折返し、折返片の先端部をシートに縫合して枕を収容するための筒状の枕収容部を形成する一方、シートの他端を折返し、折返片の両側端部をシートに縫合して錘となる重量物を収容するためのポケット状の錘装着部を形成することを特徴とする枕保持具の製造方法。
【発明の詳細な説明】
【技術分野】
【０００１】
本発明は、リクライニング式のベッドで使用者の上半身を起こしたときに枕がずれ下がるのを防止するための枕保持具及びその製造方法に関するものである。
【背景技術】
【０００２】
従来より、ベッドの頭側の基台を起倒自在に形成して、頭側の基台を傾斜状に起立させることで、ベッドの使用者の上半身を起こすことができるリクライニング式のベッドが広く利用されている。
【０００３】
このリクライニング式のベッドでは、基台を傾斜させて使用者の上半身を起こしたときに、枕が自重で傾斜面に沿ってずれ下がってしまうことがあり、使用者に不快感を与えてしまうことがあった。
【０００４】
そのため、リクライニング式のベッドで使用者の上半身を起こしたときに枕がずれ下がるのを防止するための枕保持具が考案されている。
【０００５】
この従来の枕保持具は、枕を保持するための枕保持部にベッドの頭側端部に係止する係止部を接続し、係止部でベッドの頭側端部を強固に係止して、ベッドに枕を固定するように構成している（たとえば、特許文献１参照。）。
【０００６】
【特許文献１】特開２００６−２０４６４３号公報
【発明の開示】
【発明が解決しようとする課題】
【０００７】
ところが、上記従来の枕保持具では、ベッドの頭側端部に係止部を強固に係止して枕を強制的に固定するものであったため、着脱が困難であり、また、枕の上下位置を容易に変更することができず、使い勝手が悪いものであった。
【０００８】
また、従来の枕保持具では、枕の重量とは無関係にベッドの頭側端部に固定する構造であったために、比較的重い枕でも対応できるように係止部を頑丈に構成する必要があり、使用者の枕元に頑丈な構造物が配置されてしまい、使用者に圧迫感を与えてしまうおそれもあった。
【課題を解決するための手段】
【０００９】
そこで、請求項１に係る本発明では、リクライニング式のベッドで使用者の上半身を起こしたときに枕がずれ下がるのを防止するための枕保持具において、ベッドの頭側端部に配置される屈曲自在の屈曲部と、この屈曲部の一端側に形成した枕を収容するための枕収容部と、前記屈曲部の他端側に形成した錘となる重量物を装着するための錘装着部とを有することにした。
【００１０】
また、請求項２に係る本発明では、前記請求項１に係る本発明において、前記枕収容部は、可撓性を有する一枚のシートの一端を折返すとともに折返片の先端部をシートに縫合して筒状に形成し、一方、前記錘装着部は、前記シートの他端を折返すとともに折返片の両側端部をシートに縫合してポケット状に形成することにした。
【００１１】
また、請求項３に係る本発明では、リクライニング式のベッドで使用者の上半身を起こしたときに枕がずれ下がるのを防止するための枕保持具の製造方法において、可撓性を有する一枚のシートの一端を折返し、折返片の先端部をシートに縫合して枕を収容するための筒状の枕収容部を形成する一方、シートの他端を折返し、折返片の両側端部をシートに縫合して錘となる重量物を収容するためのポケット状の錘装着部を形成することにした。
【発明の効果】
【００１２】
そして、本発明では、以下に記載する効果を奏する。
【００１３】
すなわち、本発明では、ベッドの頭側端部に配置される屈曲部の一端側に枕収容部が形成され、屈曲部の他端側に錘装着部が形成されるので、リクライニング式のベッドの基台を傾斜させると、ベッドの頭側端部を挟んで枕収容部に収容された枕の重量と錘装着部に装着された錘の重量とがバランスを保持して、枕がずれ下がってしまうのを防止することができる。
【００１４】
しかも、本発明では、枕の重量とバランスをとるための錘であるのでそれほど重量のある錘を必要としないために、枕保持具を容易に着脱することができ、ベッドの頭側端部に配置した屈曲部の位置をずらすだけで枕の上下位置を容易に変更することができるので、枕保持具の使い勝手を向上させることができる。
【００１５】
また、ベッドの傾斜角度や枕の重量に応じて錘の重量を変更すれば、ベッドの傾斜角度や枕の重量にかかわらず枕のずれ下がりを防止でき、また、専用の錘を用いなくても、書籍や洗面用具などの重量のある日用品などを錘として使用することができ、その場合には、錘装着部を日用品などの小物入れとして兼用することができる。
【００１６】
特に、一枚のシートの両端を折返すことによって枕保持具を形成した場合には、軽量で簡素な構造とすることができ、枕保持具のコストを低減することができるとともに、使用者に圧迫感を与えることがなくなり、枕単体と同様の通常の感覚で使用者に使用してもらうことができる。
【発明を実施するための最良の形態】
【００１７】
以下に、本発明に係る枕保持具の具体的な構成について図面を参照しながら説明する。
【００１８】
図１に示すように、枕保持具１は、屈曲自在の屈曲部２を中央部に形成し、屈曲部２の一端側（図１では、右端側）に枕３を収容するための筒状の枕収容部４を形成するとともに、屈曲部２の他端側（図１では、左端側）に錘５となる重量物を装着（収容）するためのポケット状の錘装着部６を形成している。なお、ここでは、錘装着部６を３個のポケット7,8,9で構成しているが、１個のポケットとしてもよい。
【００１９】
この枕保持具１は、図２(a)に示すように、まず、一枚の布などの可撓性を有するシート10を用意し、図２(b)に示すように、このシート10の一端（図２では、右端）を折返片11として下方に向けて180度折返し、図２(c)に示すように、折返片11の先端とシート10とを糸12で縫合する。
【００２０】
これにより、シート10の一端部（図２では、右端部）に筒状の枕収容部４が形成される。
【００２１】
また、枕保持具１は、図２(d)に示すように、シート10の他端（図２では、左端）を折返片13として上方に向けて180度折返し、図２(e)に示すように、折返片13の両端縁とシート10とを糸14で縫合し、さらに、折返片13の内側とシート10とを糸15,16で縫合する。
【００２２】
これにより、シート10の他端部（図２では、左端部）に３個のポケット7,8,9からなるポケット状の錘装着部６が形成されるとともに、枕収容部４と錘装着部６との間に屈曲自在の屈曲部２が形成される。
【００２３】
なお、枕保持具１は、上記方法により製造した場合に限られず、たとえば、折返片11の両端縁とシート10とを縫合してポケット状の枕収容部４としてもよく、また、折返片13の先端とシート10とを縫合して筒状の錘装着部６としてもよい。さらには、枕収容部４や錘装着部６を袋状に形成して、内部に枕３や錘５を固定的に収容した構造としてもよく、或いは、錘装着部６をシート状に形成してクリップや洗濯バサミなどの挟持具を用いて錘５を装着できるようにしてもよい。
【００２４】
そして、枕保持具１は、図３に示すように、固定台17に可動台18及びマットレス19を起倒自在に取付けたリクライニング式のベッド20の頭側端部に屈曲部２を配置し、マットレス19の頭側上部に枕３を収容した枕収容部４を配置するとともに、ベッド20の頭側端部から下方に向けて錘５を収容した錘装着部６を垂れ下げておく。
【００２５】
そうすると、リクライニング式のベッド20の可動台18を所定角度に傾斜状に起立させて使用者の上半身を起こした場合に、ベッド20の頭側端部を挟んで枕収容部４に収容された枕３の重量と錘装着部６に収容された錘５の重量とがバランスを保持し、これにより、枕３が傾斜したマットレス19に沿ってずれ下がってしまうのを防止することができる。
【００２６】
ここで、上記枕保持具１では、枕３の重量とバランスをとるための錘５であるのでそれほど重量のある錘５を必要としないために、枕保持具１を容易に着脱することができる。
【００２７】
また、上記枕保持具１では、ベッド20の頭側端部に配置した屈曲部２の位置をずらすだけで枕３の上下位置を容易に変更することができ、枕保持具１の使い勝手を向上させることができる。
【００２８】
しかも、上記枕保持具１では、ベッド20の傾斜角度や枕３の重量に応じて錘５の重量を変更すれば、ベッド20の傾斜角度や枕３の重量にかかわらず枕３のずれ下がりを防止することができる。
【００２９】
また、上記枕保持具１では、専用の錘５を用いなくても、書籍や洗面用具などの重量のある日用品などを錘５として使用することができ、その場合には、錘装着部６を日用品などの小物入れとして兼用することができる。なお、枕収容部４も枕３とともに日用品などを収容することができる。
【００３０】
また、一枚のシート10の両端を折返すことによって枕保持具１を形成した場合には、軽量で簡素な構造とすることができ、枕保持具１のコストを低減することができるとともに、使用者に圧迫感を与えることがなくなり、枕単体と同様の通常の感覚で使用者に使用してもらうことができる。
【００３１】
また、一枚のシート10から形成した場合には、枕保持具１を容易にクリーニングすることができ、枕保持具１を清潔な状態に保持することができる。
【００３２】
さらに、枕収容部４を筒状に形成した場合や錘装着部６をポケット状に形成した場合には、ベッド20に枕保持具１を設置した状態のままで枕３や錘５を容易に着脱することができ、これによっても、枕保持具１の使い勝手を向上させることができる。
【図面の簡単な説明】
【００３３】
【図１】枕保持具を示す斜視図。
【図２】枕保持具の製造方法を示す説明図。
【図３】枕保持具の使用状態を示す側面図。
【符号の説明】
【００３４】
１  枕保持具                          ２  屈曲部
３  枕                                ４  枕収容部
５  錘                                ６  錘装着部
7,8,9  ポケット                       10  シート
11  折返片                            12  糸
13  折返片                            14,15,16  糸
17  固定台                            18  可動台
19  マットレス                        20  ベッド
【図１】
2008295662.tif 000003
【図２】
2008295662.tif 000004
【図３】
2008295662.tif 000005